(57)【特許請求の範囲】
【請求項１】
自走可能な車体と、該車体の前部側に設けられた作業装置と、前記車体の後部側に設けられ前記作業装置との重量バランスをとるカウンタウエイトとからなり、
前記カウンタウエイトは、前面、後面、上面および下面を有し前記前面と上面とを切欠くことにより補助ウエイト収容部が形成された主ウエイトと、該主ウエイトの補助ウエイト収容部に取付けられる補助ウエイトと、前記主ウエイトに設けられた電装品とにより構成してなる建設機械において、
前記補助ウエイト収容部は、前記主ウエイトの前面と上面とに開口した凹窪部と、該凹窪部内に収容された前記補助ウエイトを受承するため前記凹窪部内に形成された平坦面からなるウエイト受座とにより構成し、
前記補助ウエイト収容部には、前記ウエイト受座に沿って前，後方向に延びる第１の配線収容溝と、該第１の配線収容溝の後端側から前記凹窪部の奥面に沿って前記主ウエイトの上面へと延びる第２の配線収容溝とからなる配線収容溝を設け、
前記配線収容溝には、前記第１の配線収容溝から第２の配線収容溝を通って前記電装品に延びる配線を収容する構成としたことを特徴とする建設機械。
【請求項２】
前記主ウエイトの上面には前記電装品を取付ける電装品ブラケットを設け、該電装品ブラケットには前記第２の配線収容溝を閉塞する蓋部を一体的に設ける構成としてなる請求項１に記載の建設機械。
【請求項３】
前記補助ウエイト収容部の凹窪部には前記第１の配線収容溝を閉塞する溝閉塞板を設ける構成としてなる請求項１または２に記載の建設機械。
【請求項４】
前記第１の配線収容溝は、前記ウエイト受座に隣接した位置で前記主ウエイトを下方または側方に切欠くことにより形成してなる請求項１，２または３に記載の建設機械。
【請求項５】
前記ウエイト収容部の凹窪部は、前記主ウエイトの前面と上面とに開口した上凹窪部と、該上凹窪部から下方に延びる下凹窪部とによりＴ字状に形成し、前記ウエイト受座は、前記上凹窪部と下凹窪部との境界部に位置する平坦面により形成し、前記補助ウエイトは、前記主ウエイトの上面側から前記ウエイト収容部に対して取付け、取外しされるＴ字状の補助ウエイトにより形成してなる請求項１，２，３または４に記載の建設機械。
【発明の詳細な説明】
【技術分野】
【０００１】
本発明は、例えば油圧ショベル、油圧クレーン等のカウンタウエイトを備えた建設機械に関する。
【背景技術】
【０００２】
一般に、油圧ショベル等の建設機械は、自走可能な下部走行体と、該下部走行体上に旋回可能に搭載された上部旋回体と、該上部旋回体に俯仰動可能に設けられた作業装置とにより大略構成され、土砂の掘削作業等を行うものである。ここで、上部旋回体は、ベースとなる旋回フレームを有し、該旋回フレームの前部側には作業装置が取付けられ、旋回フレームの後部側には、カウンタウエイトとの重量バランスをとるカウンタウエイトが設けられている。
【０００３】
ところで、市街地等の狭隘な作業現場に好適に用いられる油圧ショベルとして、上部旋回体の旋回半径を小さく設定した後方小旋回式の油圧ショベルが知られている。この後方小旋回式の油圧ショベルは、旋回中心からカウンタウエイトの後面までの距離によって規定される旋回半径を小さく抑えるため、カウンタウエイトを旋回中心に接近させて配置する構成となっている。
【０００４】
このように、カウンタウエイトを旋回中心に接近させた配置した場合でも、作業装置との重量バランスを確保するため、カウンタウエイトに補助ウエイトを追加して取付ける構成となった油圧ショベルが提案されている。そして、この油圧ショベルに搭載されるカウンタウエイトは、上部旋回体に取付けられる主ウエイトと、該主ウエイトに設けられた補助ウエイト収容部に上，下方向から取付けられる補助ウエイトとにより構成されている。
【０００５】
この場合、通常、補助ウエイト収容部は主ウエイトの左，右方向の中央部に形成され、この補助ウエイト収容部内に補助ウエイトを取付けた状態で、カウンタウエイトの重心位置が左，右方向のほぼ中央部に位置するように設定されている（例えば、特許文献１参照）。
【０００６】
一方、市街地等の狭隘な作業現場において、キャブ内のオペレータにとって死角となる車体後方の視界を補うように、カウンタウエイトの後端部に後方監視カメラを搭載した油圧ショベルが提案されている。この油圧ショベルでは、後方監視カメラによって撮影した画像をキャブ内のモニタに表示することにより、オペレータがキャブ内の運転席に着席した状態においても、油圧ショベルの後方を確認することができ、市街地等の狭隘な作業現場における作業の安全性を高めることができる。
【０００７】
そして、この後方監視カメラを搭載した油圧ショベルは、カウンタウエイトの左，右方向の中央部に後方監視カメラを取付けると共に、カウンタカウンタウエイトの上面板に前，後方向に延びる凹溝を設け、後方監視カメラに接続される電気配線を、凹溝内に収容した状態でカウンタウエイトから前側（キャブ側）へと引出す構成となっている（例えば、特許文献２参照）。
【先行技術文献】
【特許文献】
【０００８】
【特許文献１】実開平４−３０１５２号公報
【特許文献２】特開２００６−１６１３０６号公報
【発明の概要】
【発明が解決しようとする課題】
【０００９】
ところで、上述した特許文献１の従来技術のように、主ウエイトと、該主ウエイトに上，下方向から取付けられる補助ウエイトとにより構成したカウンタウエイトに、後方監視カメラ、作業灯、通信機器等の電装品を取付ける場合には、以下の如き問題がある。
【００１０】
即ち、主ウエイトの左，右方向の中央部に電装品を配置した場合には、この電装品に接続される配線が、補助ウエイトの上方を通って前側へと引出されることになるため、主ウエイトに対して補助ウエイトを着脱するのに伴い、電装品も主ウエイトに対して着脱する必要があり、補助ウエイトを取付け、取外しするときの作業性が低下してしまうという問題がある。
【００１１】
また、補助ウエイトを主ウエイトの左，右方向の中央部から一方側に片寄せて配置することにより、電装品の配線を補助ウエイトと干渉しない位置に配置した場合には、補助ウエイトを含むカウンタウエイト全体の重心位置が左，右方向の一方側に偏ってしまうという問題がある。
【００１２】
本発明は上述した従来技術の問題に鑑みなされたもので、主ウエイトと補助ウエイトとを有するカウンタウエイトに設けた電装品の配線を保護することができ、かつ、配線が補助ウエイトに干渉するのを抑えることができるようにした建設機械を提供することを目的としている。
【課題を解決するための手段】
【００１３】
上述した課題を解決するため本発明は、自走可能な車体と、該車体の前部側に設けられた作業装置と、前記車体の後部側に設けられ前記作業装置との重量バランスをとるカウンタウエイトとからなり、前記カウンタウエイトは、前面、後面、上面および下面を有し前記前面と上面とを切欠くことにより補助ウエイト収容部が形成された主ウエイトと、該主ウエイトの補助ウエイト収容部に取付けられる補助ウエイトと、前記主ウエイトに設けられた電装品とにより構成してなる建設機械に適用される。
【００１４】
そして、請求項１の発明の特徴は、前記補助ウエイト収容部は、前記主ウエイトの前面と上面とに開口した凹窪部と、該凹窪部内に収容された前記補助ウエイトを受承するため前記凹窪部内に形成された平坦面からなるウエイト受座とにより構成し、前記補助ウエイト収容部には、前記ウエイト受座に沿って前，後方向に延びる第１の配線収容溝と、該第１の配線収容溝の後端側から前記凹窪部の奥面に沿って前記主ウエイトの上面へと延びる第２の配線収容溝とからなる配線収容溝を設け、前記配線収容溝には、前記第１の配線収容溝から第２の配線収容溝を通って前記電装品に延びる配線を収容する構成としたことにある。
【００１５】
請求項２の発明は、前記主ウエイトの上面には前記電装品を取付ける電装品ブラケットを設け、該電装品ブラケットには前記第２の配線収容溝を閉塞する蓋部を一体的に設ける構成としたことにある。
【００１６】
請求項３の発明は、前記補助ウエイト収容部の凹窪部には前記第１の配線収容溝を閉塞する溝閉塞板を設ける構成としたことにある。
【００１７】
請求項４の発明は、前記第１の配線収容溝は、前記ウエイト受座に隣接した位置で前記主ウエイトを下方または側方に切欠くことにより形成したことにある。
【００１８】
請求項５の発明は、前記ウエイト収容部の凹窪部は、前記主ウエイトの前面と上面とに開口した上凹窪部と、該上凹窪部から下方に延びる下凹窪部とによりＴ字状に形成し、前記ウエイト受座は、前記上凹窪部と下凹窪部との境界部に位置する平坦面により形成し、前記補助ウエイトは、前記主ウエイトの上面側から前記ウエイト収容部に対して取付け、取外しされるＴ字状の補助ウエイトにより形成したことにある。
【発明の効果】
【００１９】
請求項１の発明によれば、補助ウエイト収容部に第１，第２の配線収容溝からなる配線収容溝を設けることにより、補助ウエイト収容部のウエイト受座に補助ウエイトを載置した状態で、電装品の配線を配線収容溝内に保持することができる。これにより、主ウエイトに取付けた電装品の配線が主ウエイトや補助ウエイトの表面に露出した状態で配置されることがなく、該配線を保護することができると共に、電装品の信頼性を高めることができる。
【００２０】
また、主ウエイトの前側から電装品へと延びる配線を、第１，第２の配線収容溝内に収容することにより、電装品の配線が補助ウエイトと干渉するのを抑えることができ、主ウエイトに対して補助ウエイトを取付け、取外しするときの作業性を高めることができる。また、電装品の配線を配線収容溝内に収容することにより、配線がカウンタウエイトの外部から目視されるのを防止することができ、建設機械全体の外観品質を向上させることができる。
【００２１】
請求項２の発明によれば、主ウエイトの上面に電装品ブラケットを取付けた状態で、該電装品ブラケットに設けた蓋部によって第２の配線収容溝を閉塞することができる。これにより、第２の配線収容溝内に収容された配線が、例えば建設機械が発生する振動等によって補助ウエイト収容部内にはみ出し、当該補助ウエイト収容部の内面と補助ウエイトとの間に挟まれるのを抑えることができる。この結果、配線を保護すると共に電装品の信頼性を高めることができる。
【００２２】
請求項３の発明によれば、補助ウエイト収容部の凹窪部に設けた溝閉塞板によって第１の配線収容溝を閉塞することにより、これら第１の配線収容溝内に収容された配線が、補助ウエイト収容部内にはみ出して補助ウエイトに挟まれるのを抑えることができ、配線を保護すると共に電装品の信頼性を高めることができる。
【００２３】
請求項４の発明によれば、ウエイト受座に隣接した位置で主ウエイトを下方または側方に切欠くことにより第１の配線収容溝を形成したので、この第１の配線収容溝内に配線を収容することにより、ウエイト受座に補助ウエイトを載置するときに、誤ってウエイト受座と補助ウエイトとの間に配線を挟んでしまうのを抑えることができ、配線を保護することができる。
【００２４】
請求項５の発明によれば、上凹窪部と下凹窪部とによりＴ字状に形成されたウエイト収容部の凹窪部に対し、Ｔ字状の補助ウエイトを主ウエイトの上面側から上，下方向に取付け、取外しすることができる。このとき、主ウエイトに取付けた電装品の配線を、主ウエイトの配線収容溝内に収容することにより、配線が補助ウエイトと干渉するのを抑えることができ、この補助ウエイトの取付け、取外し作業の作業性を高めることができる。
【図面の簡単な説明】
【００２５】
【図１】本発明の実施の形態による油圧ショベルを示す正面図である。
【図２】旋回フレームの後端部からカウンタウエイトを取外した状態を示す分解斜視図である。
【図３】主ウエイトから補助ウエイトを取外した状態を示す分解斜視図である。
【図４】主ウエイト、補助ウエイト収容部、配線収容溝、後方監視カメラ、配線、電装品ブラケット等の組付状態を示す斜視図である。
【図５】図４中の後方監視カメラ、配線、電装品ブラケット等を取外した状態を示す分解斜視図である。
【図６】電装品ブラケットを単体で示す斜視図である。
【図７】溝閉塞板を単体で示す斜視図である。
【図８】主ウエイト、補助ウエイト収容部、配線収容溝、後方監視カメラ等を図４中の矢示VIII−VIII方向からみた断面図である。
【図９】本発明の第２の実施の形態を示す図４と同様な斜視図である。
【図１０】補助ウエイト収容部、および補助ウエイトの変形例を示す分解斜視図である。
【図１１】溝閉塞板の変形例を示す図４と同様な斜視図である。
【発明を実施するための形態】
【００２６】
以下、本発明に係る建設機械の旋回フレームの実施の形態を、クローラ式の下部走行体を備えた油圧ショベルに適用した場合を例に挙げ、添付図面に従って詳細に説明する。
【００２７】
図中、１は建設機械の代表例としての油圧ショベルを示している。この油圧ショベル１の車体は、自走可能なクローラ式の下部走行体２と、該下部走行体２上に旋回可能に搭載された上部旋回体３とにより構成されている。そして、上部旋回体３の前側には作業装置４が俯仰動可能に設けられ、該作業装置４を用いて土砂の掘削作業等を行う構成となっている。
【００２８】
ここで、上部旋回体３は、支持構造体をなす旋回フレーム５を有し、該旋回フレーム５の前端側には作業装置４の基端部が回動可能に取付けられている。一方、旋回フレーム５の後端側にはウエイト支持部５Ａが設けられ、該ウエイト支持部５Ａには、作業装置４との重量バランスをとる後述のカウンタウエイト１１が取付けられている。
【００２９】
また、旋回フレーム５の前部左側には、油圧ショベル１を操作するオペレータが乗込むキャブ６が配設され、カウンタウエイト１１の前側には、内部にエンジン、油圧ポンプ、熱交換装置等の搭載機器類（いずれも図示せず）を収容する建屋カバー７が配設されている。
【００３０】
次に、１１は本実施の形態に用いられるカウンタウエイトを示し、該カウンタウエイト１１は、旋回フレーム５のウエイト支持部５Ａに取付けられ、作業装置４との重量バランスをとるものである。ここで、カウンタウエイト１１は、上部旋回体３の旋回半径を小さく抑えたるため、該上部旋回体３の旋回中心に接近して配置されている。そして、カウンタウエイト１１は、後述の主ウエイト１２と、補助ウエイト１６と、後方監視カメラ１８とにより大略構成されている。
【００３１】
１２はカウンタウエイト１１のベースとなる主ウエイトで、該主ウエイト１２は、左，右方向の両端部が前方に突出した前面１２Ａと、左，右方向に円弧状に湾曲した後面１２Ｂと、上方からみて左，右方向に延びる三日月状をなす上面１２Ｃと、該上面１２Ｃと同様な三日月状をなす下面１２Ｄとを有し、例えば鋳造手段を用いて一体形成されている。
【００３２】
ここで、主ウエイト１２の下端側には、前面１２Ａと下面１２Ｄとを後面１２Ｂに向けて切欠くことにより形成され、前面１２Ａと下面１２Ｄとに開口した左，右のフレーム取付凹部１２Ｅが凹設されている。そして、これら左，右のフレーム取付凹部１２Ｅを、旋回フレーム５の後端部に設けられた左，右のウエイト支持部５Ａにボルト等を用いて取付けることにより、旋回フレーム５の後端部に主ウエイト１２が固定される構成となっている（図２参照）。
【００３３】
一方、主ウエイト１２の上側には、左，右方向のほぼ中央部に位置して後述の補助ウエイト収容部１３が設けられ、該補助ウエイト収容部１３内には、後述の補助ウエイト１６が着脱可能に取付けられる構成となっている。また、主ウエイト１２の上面１２Ｃのうち、補助ウエイト収容部１３よりも後側には、左，右方向に離間して２個のボルト穴（雌ねじ穴）１２Ｆが螺設され、これら左，右のボルト穴１２Ｆ等を用いて、主ウエイト１２の上面１２Ｃに後述の後方監視カメラ１８が取付けられる構成となっている。
【００３４】
１３は主ウエイト１２に設けられた補助ウエイト収容部を示し、該補助ウエイト収容部１３は、主ウエイト１２の前面１２Ａと上面１２Ｃとを切欠くことにより形成され、後述の補助ウエイト１６を取付け、取外し可能に収容するものである。そして、図３ないし図５に示すように、補助ウエイト収容部１３は、主ウエイト１２の左，右方向の中央部に配置され、前面１２Ａと上面１２Ｃとに開口する凹窪部１４と、後述のウエイト受座１５とにより、全体として略Ｔ字状の凹部として形成されている。
【００３５】
ここで、補助ウエイト収容部１３を構成する凹窪部１４は、主ウエイト１２の前面１２Ａと上面１２Ｃとに開口し左，右方向に延びる上凹窪部１４Ａと、上凹窪部１４Ａの左，右方向の中央部から下方へと延びる下凹窪部１４Ｂとにより構成されている。
【００３６】
この場合、上凹窪部１４Ａは、底面１４Ａ１と、奥面（後面）１４Ａ２と、左側面１４Ａ３と、右側面１４Ａ４とによって囲まれた左，右方向に延びる直方体状の空間を形成し、主ウエイト１２の前面１２Ａと上面１２Ｃとに開口している。一方、下凹窪部１４Ｂは、底面１４Ｂ１と、奥面（後面）１４Ｂ２と、左側面１４Ｂ３と、右側面１４Ｂ４とによって囲まれた上，下方向に延びる直方体状の空間を形成し、主ウエイト１２の前面１２Ａに開口している。
【００３７】
１５は凹窪部１４と共に補助ウエイト収容部１３を構成するウエイト受座で、該ウエイト受座１５は、凹窪部１４内に形成された平坦面からなり、凹窪部１４内に収容された後述の補助ウエイト１６を受承するものである。
【００３８】
ここで、ウエイト受座１５は、上凹窪部１４Ａと下凹窪部１４Ｂとの境界部、即ち、上凹窪部１４Ａの底面１４Ａ１によって構成され、下凹窪部１４Ｂを挟んで左，右方向で対をなした状態で前，後方向に延びる平坦面からなっている。また、これら左，右のウエイト受座１５には、それぞれ大径なボルト穴（雌ねじ穴）１５Ａが螺設されている。
【００３９】
１６は主ウエイト１２と共にカウンタウエイト１１を構成する補助ウエイトを示し、該補助ウエイト１６は、主ウエイト１２に設けられた補助ウエイト収容部１３内に着脱可能に取付けられるものである。そして、補助ウエイト１６は、図３に示すように、補助ウエイト収容部１３の上凹窪部１４Ａに対応し左，右方向に延びる直方体状の上ウエイト部１６Ａと、下凹窪部１４Ｂに対応し上，下方向に延びる直方体状の下ウエイト部１６Ｂとにより全体としてＴ字状に形成されている。
【００４０】
ここで、上ウエイト部１６Ａの左，右方向の両端側は下ウエイト部１６Ｂから張出した左，右の張出し部１６Ｃとなり、これら左，右の張出し部１６Ｃの下面が、補助ウエイト収容部１３の左，右のウエイト受座１５上に載置される構成となっている。また、左，右の張出し部１６Ｃには、ウエイト受座１５に螺設されたボルト穴１５Ａに対応するボルト挿通孔１６Ｄがそれぞれ穿設され、上ウエイト部１６Ａの左，右方向の中央部には、アイボルト等の吊具（図示せず）を取付けるための吊具取付穴（雌ねじ穴）１６Ｅが螺設されている。
【００４１】
そして、補助ウエイト１６は、吊具取付穴１６Ｅに取付けた吊具をクレーン等（いずれも図示せず）を用いて吊上げることにより、主ウエイト１２の上面１２Ｃ側から補助ウエイト収容部１３の凹窪部１４内に挿入される。そして、左，右の張出し部１６Ｃの下面をウエイト受座１５上に載置した状態で、ボルト挿通孔１６Ｄに挿通したボルト１７をウエイト受座１５のボルト穴１５Ａに螺着することにより、主ウエイト１２に固定される構成となっている。
【００４２】
１８は主ウエイト１２の後端部上面に設けられた電装品としての後方監視カメラを示している。この後方監視カメラ１８は、例えばＣＣＤカメラ等によって構成され、後述する電装品ブラケット２３を介して主ウエイト１２の上面１２Ｃに着脱可能に取付けられている。
【００４３】
ここで、後方監視カメラ１８には、例えば建屋カバー７内に格納された駆動装置（図示せず）から延びる配線（ケーブル）１８Ａが接続されており、この配線１８Ａは、後述する第１の配線収容溝１９から第２の配線収容溝２０を通って補助ウエイト１６を迂回しつつ、主ウエイト１２の上面１２Ｃに取付けられた後方監視カメラ１８に接続される構成となっている。また、後方監視カメラ１８の下面には、後述の電装品ブラケット２３に取付けるための２本の取付ボルト１８Ｂが突設されている。
【００４４】
そして、後方監視カメラ１８は、キャブ６内のオペレータにとって死角となるカウンタウエイト１１の後方の範囲を撮影するもので、後方監視カメラ１８によって撮影された画像を、キャブ６内に配置されたモニタ装置に表示することにより、オペレータは、キャブ６内で油圧ショベル１を操作しつつ、モニタ装置に表示される画像によってカウンタウエイト１１の後方を確認（監視）することができる構成となっている。
【００４５】
次に、１９は補助ウエイト収容部１３に設けられた第１の配線収容溝を示し、この第１の配線収容溝１９は、後方監視カメラ１８に接続される配線１８Ａを収容するものである。ここで、第１の配線収容溝１９は、図４および図５に示すように、上凹窪部１４Ａの底面１４Ａ１を右側面１４Ａ４に沿って下方に切欠くことにより、断面矩形状の凹陥溝として形成され、底面１４Ａ１によって構成されたウエイト受座１５に沿って前，後方向に延びている。
【００４６】
このように、第１の配線収容溝１９は、ウエイト受座１５に隣接した位置で、補助ウエイト収容部１３を構成する上凹窪部１４Ａの底面１４Ａ１を下方に切欠くことにより形成されている。そして、第１の配線収容溝１９の前端部１９Ａは、主ウエイト１２の前面１２Ａに開口している。また、第１の配線収容溝１９の後端部１９Ｂは、上凹窪部１４Ａの奥面１４Ａ２まで延び、後述する第２の配線収容溝２０と連通する構成となっている。
【００４７】
２０は第１の配線収容溝１９に連続して補助ウエイト収容部１３に設けられた第２の配線収容溝を示し、この第２の配線収容溝２０は、第１の配線収容溝１９と共に後方監視カメラ１８の配線１８Ａを収容するものである。ここで、第２の配線収容溝２０は、上凹窪部１４Ａの奥面１４Ａ２を主ウエイト１２の後面１２Ｂに向けて切欠くことにより、断面矩形状の凹陥溝として形成され、第１の配線収容溝１９の後端部１９Ｂから主ウエイト１２の上面１２Ｃに向けて斜め上向きに延びている。
【００４８】
このように、第２の配線収容溝２０は、補助ウエイト収容部１３を構成する上凹窪部１４Ａの奥面１４Ａ２よりもさらに後方に窪んだ凹陥溝からなっている。そして、第２の配線収容溝２０の下端部２０Ａは、第１の配線収容溝１９の後端部１９Ｂに連通している。また、第２の配線収容溝２０の上端部２０Ｂは、主ウエイト１２の上面１２Ｃに開口する構成となっている。
【００４９】
２１は補助ウエイト収容部１３を構成する凹窪部１４（上凹窪部１４Ａ）の奥面１４Ａ２側に形成されたブラケット取付面で、該ブラケット取付面２１は、後述の電装品ブラケット２３が取付けられるものである。ここで、ブラケット取付面２１は、上凹窪部１４Ａの奥面１４Ａ２よりも一段奥まった位置に形成された平坦面からなっている。
【００５０】
そして、ブラケット取付面２１は、上凹窪部１４Ａの左，右方向の中央部から左側面１４Ａ３の近傍に向けて左，右方向に延び、該ブラケット取付面２１には、第２の配線収容溝２０の上部側が開口している。また、ブラケット取付面２１のうち第２の配線収容溝２０よりも左側には、１個のボルト穴（雌ねじ穴）２１Ａが螺設されている。
【００５１】
２２はブラケット取付面２１よりも下側に位置して上凹窪部１４Ａの奥面１４Ａ２側に形成された閉塞板取付面で、該閉塞板取付面２２は、後述の溝閉塞板２８が取付けられるものである。ここで、閉塞板取付面２２は、ブラケット取付面２１と同様に、上凹窪部１４Ａの奥面１４Ａ２よりも一段奥まった位置に形成された平坦面からなり、ブラケット取付面２１と同一平面を形成している。
【００５２】
そして、閉塞板取付面２２は、上凹窪部１４Ａの左，右方向の中央部から右側面１４Ａ４に向けて左，右方向に延び、該閉塞板取付面２２には、第２の配線収容溝２０の下部側が開口している。また、閉塞板取付面２２のうち第２の配線収容溝２０を挟んで左，右両側には、２個のボルト穴（雌ねじ穴）２２Ａが螺設されている。
【００５３】
２３は主ウエイト１２の上面１２Ｃに取付けられる電装品ブラケットを示し、該電装品ブラケット２３は、後方監視カメラ１８を取付けた状態で主ウエイト１２の後端側に着脱可能に取付けるものである。そして、電装品ブラケット２３は、図６に示すように、左，右方向に延びる板材を折曲げることにより形成され、主ウエイト１２の上面１２Ｃと対面する平板状の電装品取付板部２３Ａと、補助ウエイト収容部１３（上凹窪部１４Ａ）のブラケット取付面２１と対面する蓋部としての蓋板部２３Ｂとにより構成されている。
【００５４】
ここで、電装品取付板部２３Ａの左，右方向の両端側には、主ウエイト１２の上面１２Ｃに設けられた各ボルト穴１２Ｆに対応する左，右のボルト挿通孔２３Ｃが穿設されている。また、電装品取付板部２３Ａの長さ方向の中間部には、主ウエイト１２の上面１２Ｃに開口した第２の配線収容溝２０の上端部２０Ｂに対応する位置に、後方監視カメラ１８の配線１８Ａが挿通される四角形の配線挿通孔２３Ｄが形成されると共に、後方監視カメラ１８に突設された取付ボルト１８Ｂが挿通される２個のボルト挿通孔２３Ｅが穿設されている。
【００５５】
一方、蓋板部２３Ｂには、主ウエイト１２のブラケット取付面２１に設けられたボルト穴２１Ａに対応するボルト挿通孔２３Ｆが穿設されると共に、後述の配線クランプ２５を取付けるためのクランプ取付孔２３Ｇが穿設されている。
【００５６】
そして、図５に示すように、電装品ブラケット２３のボルト挿通孔２３Ｅに後方監視カメラ１８の取付ボルト１８Ｂを挿通し、この取付ボルト１８Ｂにナット２４を螺合することにより、電装品ブラケット２３の電装品取付板部２３Ａに後方監視カメラ１８が固定される構成となっている。このとき、該後方監視カメラ１８の配線１８Ａは、電装品取付板部２３Ａの配線挿通孔２３Ｄを通じて電装品ブラケット２３の下面側に導出され、蓋板部２３Ｂのクランプ取付孔２３Ｇに取付けられた配線クランプ２５によって保持される。
【００５７】
そして、電装品取付板部２３Ａのボルト挿通孔２３Ｃに挿通したボルト２６を、主ウエイト１２のボルト穴１２Ｆに螺合すると共に、蓋板部２３Ｂのボルト挿通孔２３Ｆに挿通したボルト２７を、ブラケット取付面２１のボルト穴２１Ａに螺合することにより、図４に示すように、電装品ブラケット２３が、主ウエイト１２の上面１２Ｃとブラケット取付面２１とに取付けられ、該電装品ブラケット２３を介して、後方監視カメラ１８が主ウエイト１２の上面１２Ｃに取付けられる構成となっている。
【００５８】
この状態で、後方監視カメラ１８の配線１８Ａは、主ウエイト１２の上面１２Ｃに開口した第２の配線収容溝２０の上端部２０Ｂ内に挿入され、当該第２の配線収容溝２０の下端部２０Ａへと導かれる。このとき、第２の配線収容溝２０は、電装品ブラケット２３の蓋板部２３Ｂによって閉塞されるので、配線１８Ａが第２の配線収容溝２０からはみ出すのを抑えることができる構成となっている。
【００５９】
２８は主ウエイト１２の閉塞板取付面２２に取付けられる溝閉塞板を示し、該溝閉塞板２８は、主として第１の配線収容溝１９を閉塞するものである。そして、溝閉塞板２８は、図７に示すように、左，右方向に延びる長方形状をなし閉塞板取付面２２と対面する取付板部２８Ａと、該取付板部２８Ａの右端側から前方に向けて張出し、第１の配線収容溝１９の上方に配置される長方形状の張出し板部２８Ｂとにより、全体として略Ｌ字状に形成されている。
【００６０】
ここで、取付板部２８Ａの左，右方向の両端側には、閉塞板取付面２２に設けられた各ボルト穴２２Ａに対応する左，右のボルト挿通孔２８Ｃが穿設され、取付板部２８Ａの長さ方向の中間部には、配線クランプ２５を取付けるためのクランプ取付孔２８Ｄが穿設されている。また、張出し板部２８Ｂには、前，後方向に離間して２個のクランプ取付孔２８Ｄが穿設されている。
【００６１】
そして、図５に示すように、溝閉塞板２８の各クランプ取付孔２８Ｄに配線クランプ２５を取付け、これら各配線クランプ２５によって後方監視カメラ１８の配線１８Ａを保持した状態で、取付板部２８Ａの各ボルト挿通孔２８Ｃに挿通したボルト２９を、閉塞板取付面２２の各ボルト穴２２Ａに螺合することにより、溝閉塞板２８が閉塞板取付面２２に取付けられる構成となっている。
【００６２】
この状態で、溝閉塞板２８の張出し板部２８Ｂが、第１の配線収容溝１９を上方から閉塞することにより、配線１８Ａが第１の配線収容溝１９の外部にはみ出すのを抑えることができる構成となっている。また、本実施の形態では、溝閉塞板２８の取付板部２８Ａを利用して第２の配線収容溝２０の一部（下端側）を閉塞する構成となっている。
【００６３】
本実施の形態による油圧ショベル１は上述の如き構成を有するもので、この油圧ショベル１は、下部走行体２によって所望の作業場所まで自走した後、下部走行体２上で上部旋回体３を旋回させつつ、作業装置４を用いて土砂の掘削作業等を行う。
【００６４】
このとき、カウンタウエイト１１（主ウエイト１２）の後端部に取付けられた後方監視カメラ１８は、キャブ６内のオペレータにとって死角となるカウンタウエイト１１の後方を撮影し、この後方監視カメラ１８によって撮影された画像は、キャブ６内に配置されたモニタ装置（図示せず）に表示される。これにより、キャブ６内で油圧ショベル１を操作するオペレータは、モニタ装置に表示される画像によってカウンタウエイト１１の後方を確認（監視）することができ、掘削作業等の安全性を高めることができる。
【００６５】
ここで、本実施の形態による油圧ショベル１は、主ウエイト１２に対する補助ウエイト１６の取付け、取外し作業を行うときに、主ウエイト１２に取付けた後方監視カメラ１８の配線１８Ａが、補助ウエイト１６と干渉しないように構成されており、以下、主ウエイト１２に対する後方監視カメラ１８の取付け作業について説明する。
【００６６】
まず、図５に示すように、電装品ブラケット２３のボルト挿通孔２３Ｅに後方監視カメラ１８の取付ボルト１８Ｂを挿通し、この取付ボルト１８Ｂにナット２４を螺合することにより、電装品ブラケット２３の電装品取付板部２３Ａに後方監視カメラ１８を固定する。そして、後方監視カメラ１８の配線１８Ａを、電装品取付板部２３Ａの配線挿通孔２３Ｄを通じて電装品ブラケット２３の下面側に導出し、蓋板部２３Ｂのクランプ取付孔２３Ｇに取付けた配線クランプ２５によって保持する。
【００６７】
そして、電装品取付板部２３Ａのボルト挿通孔２３Ｃにボルト２６を挿通し、このボルト２６を、主ウエイト１２のボルト穴１２Ｆに螺合する。また、蓋板部２３Ｂのボルト挿通孔２３Ｆにボルト２７を挿通し、このボルト２７を、ブラケット取付面２１のボルト穴２１Ａに螺合する。これにより、図４に示すように、主ウエイト１２の上面１２Ｃとブラケット取付面２１とに電装品ブラケット２３を取付け、該電装品ブラケット２３を介して、後方監視カメラ１８を主ウエイト１２の上面１２Ｃに取付けることができる。
【００６８】
このとき、後方監視カメラ１８の配線１８Ａは、主ウエイト１２の上面１２Ｃに開口した第２の配線収容溝２０の上端部２０Ｂ内に挿入される。また、電装品ブラケット２３の蓋板部２３Ｂには、配線クランプ２５を介して配線１８Ａが保持されているので、電装品ブラケット２３をブラケット取付面２１に取付けた状態で、配線１８Ａを第２の配線収容溝２０内に確実に収容し、当該配線１８Ａを、第２の配線収容溝２０の上端部２０Ｂから下端部２０Ａへと導くことができる。しかも、電装品ブラケット２３の蓋板部２３Ｂは、第２の配線収容溝２０の上端側を前方から閉塞するので、配線１８Ａが、第２の配線収容溝２０の外部にはみ出すのを確実に抑えることができる。
【００６９】
次に、溝閉塞板２８を用意し、該溝閉塞板２８の各クランプ取付孔２８Ｄに取付けた配線クランプ２５によって配線１８Ａを保持する。そして、取付板部２８Ａの各ボルト挿通孔２８Ｃに挿通したボルト２９を、閉塞板取付面２２の各ボルト穴２２Ａに螺合することにより、溝閉塞板２８を閉塞板取付面２２に取付けることができる。
【００７０】
このとき、溝閉塞板２８の取付板部２８Ａと張出し板部２８Ｂには、それぞれ配線クランプ２５を介して配線１８Ａが保持されているので、溝閉塞板２８を閉塞板取付面２２に取付けた状態で、配線１８Ａを第１の配線収容溝２０内に確実に収容し、当該配線１８Ａを、第１の配線収容溝１９の後端部１９Ｂから前端部１９Ａへと導くことができる。しかも、溝閉塞板２８は、張出し板部２８Ｂによって第１の配線収容溝１９を上方から閉塞するので、配線１８Ａが第１の配線収容溝１９の外部にはみ出すのを確実に抑えることができる。
【００７１】
このようにして、主ウエイト１２の上面１２Ｃに取付けられる後方監視カメラ１８の配線１８Ａを、主ウエイト１２の補助ウエイト収容部１３に設けた第１，第２の配線収容溝１９，２０内に収容することにより、補助ウエイト収容部１３内に取付けられる補助ウエイト１６を迂回した状態で、建屋カバー７内に格納された駆動装置（図示せず）と後方監視カメラ１８との間を配線１８Ａによって接続することができる。
【００７２】
そして、後方監視カメラ１８を主ウエイト１２の上面１２Ｃに取付けた後には、図３に示すように、補助ウエイト１６をクレーン等（図示せず）を用いて吊上げ、主ウエイト１２の上面１２Ｃ側から補助ウエイト収容部１３の凹窪部１４内に挿入する。そして、補助ウエイト１６の左，右の張出し部１６Ｃの下面を、ウエイト受座１５上に載置した状態で、ボルト挿通孔１６Ｄに挿通したボルト１７をウエイト受座１５のボルト穴１５Ａに螺着することにより、補助ウエイト１６を主ウエイト１２に固定することができる。
【００７３】
このとき、主ウエイト１２に取付けた後方監視カメラ１８の配線１８Ａは、補助ウエイト収容部１３に設けた第１，第２の配線収容溝１９，２０内に収容されているので、補助ウエイト収容部１３のウエイト受座１５に補助ウエイト１６を載置した状態で、配線１８Ａを第１，第２の配線収容溝１９，２０内に確実に保持しておくことができる。これにより、後方監視カメラ１８の配線１８Ａが、主ウエイト１２や補助ウエイト１６の表面に露出した状態で配置されることがなく、該配線１８Ａを保護することができると共に、後方監視カメラ１８の信頼性を高めることができる。
【００７４】
また、後方監視カメラ１８の配線１８Ａを、第１，第２の配線収容溝１９，２０内に収容することにより、主ウエイト１２の補助ウエイト収容部１３に対し、補助ウエイト１６を取付け、取外しするときに、補助ウエイト１６と配線１８Ａとが干渉するのを確実に防止することができ、補助ウエイト１６の取付け、取外し作業の作業性を高めることができる。また、配線１８Ａを第１，第２の配線収容溝１９，２０内に収容することにより、配線１８Ａがカウンタウエイト１１の外部から目視されるのを防止することができ、油圧ショベル１全体の外観品質を向上させることができる。
【００７５】
さらに、本実施の形態では、主ウエイト１２に後方監視カメラ１８を取付ける電装品ブラケット２３に、第２の配線収容溝２０を閉塞する蓋板部２３Ｂを設け、主ウエイト１２の閉塞板取付面２２に、第１の配線収容溝１９を閉塞する溝閉塞板２８を設ける構成としている。これにより、第１，第２の配線収容溝１９，２０内に収容された配線１８Ａが、例えば油圧ショベル１が発生する振動等によって補助ウエイト収容部１３内にはみ出すのを、電装品ブラケット２３の蓋板部２３Ｂと溝閉塞板２８とによって防止することができる。この結果、補助ウエイト収容部１３を構成する上凹窪部１４Ａの底面１４Ａ１、奥面１４Ａ２、左，右の側面１４Ａ３，１４Ａ４と補助ウエイト１６との間に、配線１８Ａが不用意に挟まれるのを抑えることができ、配線１８Ａを保護すると共に後方監視カメラ１８の信頼性を高めることができる。
【００７６】
さらに、本実施の形態では、第１の配線収容溝１９を、補助ウエイト収容部１３のウエイト受座１５に隣接した位置で、補助ウエイト収容部１３を構成する上凹窪部１４Ａの底面１４Ａ１を下方に切欠くことにより形成している。従って、第１の配線収容溝１９内に配線１８Ａを収容することにより、ウエイト受座１５に補助ウエイト１６を載置するときに、後方監視カメラ１８の配線１８Ａを、誤ってウエイト受座１５と補助ウエイト１６との間に挟んでしまうのを抑えることができ、配線１８Ａを確実に保護することができる。
【００７７】
次に、図９は本発明の第２の実施の形態を示し、本実施の形態の特徴は、第１の配線収容溝をウエイト受座の右側方に設けたことにある。なお、本実施の形態では、上述した第１の実施の形態と同一の構成要素に同一符号を付し、その説明を省略するものとする。
【００７８】
図中、３１は主ウエイト１２の補助ウエイト収容部１３に設けられた第１の配線収容溝を示し、該第１の配線収容溝３１は、第１の実施の形態による第１の配線収容溝１９に代えて本実施の形態に用いたものである。
【００７９】
ここで、第１の配線収容溝３１は、補助ウエイト収容部１３を構成する上凹窪部１４Ａの右側面１４Ａ４を底面１４Ａ１に沿って右側方に切欠くことにより、断面矩形状の凹陥溝として形成され、底面１４Ａ１によって構成されたウエイト受座１５に沿って前，後方向に延びている。
【００８０】
このように、本実施の形態による第１の配線収容溝３１は、ウエイト受座１５に隣接した位置で、補助ウエイト収容部１３を構成する上凹窪部１４Ａの右側面１４Ａ４を右側方に切欠くことにより形成されている。そして、第１の配線収容溝３１の前端部３１Ａは、主ウエイト１２の前面１２Ａに開口している。また、第１の配線収容溝３１の後端部３１Ｂは、上凹窪部１４Ａの奥面１４Ａ２まで延び、第２の配線収容溝２０の下端部２０Ａと連通している。
【００８１】
３２は主ウエイト１２の閉塞板取付面２２に取付けられる溝閉塞板を示し、該溝閉塞板３２は、第１の実施の形態による溝閉塞板２８に代えて本実施の形態に用いたもので、主として第１の配線収容溝３１を閉塞するものである。ここで、溝閉塞板３２は、左，右方向に延びる長方形状をなし閉塞板取付面２２と対面する取付板部３２Ａと、該取付板部３２Ａの右端側から前方に向けて張出し、第１の配線収容溝３１と左，右方向で対面する長方形状の張出し板部３２Ｂとにより、全体として略Ｌ字状に形成されている。
【００８２】
そして、取付板部３２Ａに挿通したボルト２９を閉塞板取付面２２に螺合することにより、溝閉塞板３２が閉塞板取付面２２に取付けられ、この状態で、溝閉塞板３２の張出し板部３２Ｂが、第１の配線収容溝３１を側方から閉塞すると共に、取付板部３２Ａが第２の配線収容溝２０の下端側を前方から閉塞する構成となっている。また、溝閉塞板３２には、複数の配線クランプ２５が取付けられ、該各配線クランプ２５によって後方監視カメラ１８の配線１８Ａを保持する構成となっている。
【００８３】
本実施の形態による第１の配線収容溝３１は、上述の如くウエイト受座１５に隣接した位置で、補助ウエイト収容部１３を構成する上凹窪部１４Ａの右側面１４Ａ４を右側方に切欠くことにより形成されている。
【００８４】
従って、本実施の形態においても、補助ウエイト収容部１３のウエイト受座１５に補助ウエイト１６を載置した状態で、後方監視カメラ１８の配線１８Ａを、第１の配線収容溝３１と第２の配線収容溝１９とに確実に保持しておくことができる。この結果、配線１８Ａを保護することができると共に、後方監視カメラ１８の信頼性を高めることができる。また、主ウエイト１２の補助ウエイト収容部１３に対し、補助ウエイト１６を取付け、取外しするときに、補助ウエイト１６と配線１８Ａとが干渉するのを確実に防止することができ、補助ウエイト１６の取付け、取外し作業の作業性を高めることができる。
【００８５】
なお、上述した各実施の形態では、主ウエイト１２の補助ウエイト収容部１３を構成する凹窪部１４を、左，右方向に延びる上凹窪部１４Ａと上，下方向に延びる下凹窪部１４ＢとによりＴ字状に形成し、これと同様なＴ字状に形成された補助ウエイト１６を凹窪部１４内に収容する場合を例示している。
【００８６】
しかし、本発明はこれに限るものではなく、例えば図１０に示す第１の変形例のように、左，右方向に延びる直方体状の空間によって形成された凹窪部３３と、凹窪部３３の底面３３Ａからなるウエイト受座３４とによって補助ウエイト収容部３５を構成してもよい。この場合には、実施の形態に用いたＴ字状の凹窪部１４と同等の容積を確保するため、凹窪部３３は、主ウエイト１２の上面１２Ｃから底面３３Ａまでの深さ寸法を大きく設定し、この凹窪部１４に対応した高さ寸法が大きな直方体状の補助ウエイト３６を、ウエイト受座３４によって受承する構成となる。また、第１の配線収容溝１９の位置が凹窪部３３の底面３３Ａよりも一段下がる分、溝閉塞板２８′の張出し板部２８Ｂ′が、取付板部２８Ａ′から下方に延びる構成となる。
【００８７】
また、上述した第１の実施の形態では、閉塞板取付面２２に溝閉塞板２８を取付けることにより、溝閉塞板２８の張出し板部２８Ｂによって第１の配線収容溝１９を閉塞すると共に、溝閉塞板２８の取付板部２８Ａを利用して第２の配線収容溝２０の一部を閉塞した場合を例示している。
【００８８】
しかし、本発明はこれに限るものではなく、例えば図１１に示す第２の変形例のように、上凹窪部１４Ａの右側面１４Ａ４を切欠くことにより閉塞板取付面２２′を形成し、この閉塞板取付面２２′に、取付板部３７Ａと張出し板部３７ＢとによりＬ字状に屈曲した溝閉塞板３７を取付け、該溝閉塞板３７の張出し板部３７Ｂによって第１の配線収容溝１９のみを閉塞する構成としてもよい。この場合には、電装品取付板部３８Ａと、蓋板部３８Ｂと、該蓋板部３８Ｂから第２の配線収容溝２０に沿って斜め下向きに延びる張出し板部３８Ｃとを有する電装品ブラケット３８を用いることにより、蓋板部３８Ｂと張出し板部３８Ｃとによって第２の配線収容溝２０をほぼ全域に亘って閉塞する構成としてもよい。
【００８９】
また、上述した各実施の形態では、カウンタウエイト１１に取付ける電装品として、後方監視カメラ１８を例示している。しかし、本発明はこれに限らず、例えば油圧ショベルの動作状態を表示する表示灯、ＧＰＳアンテナ等の他の電装品を取付ける構成としてもよい。
【００９０】
さらに、上述した各実施の形態では、建設機械としてクローラ式の油圧ショベルを例に挙げて説明した。しかし、本発明はこれに限るものではなく、例えばホイール式の油圧ショベル、油圧クレーン等の他の建設機械にも広く適用することができる。
【符号の説明】
【００９１】
１  油圧ショベル（建設機械）
２  下部走行体（車体）
３  上部旋回体（車体）
４  作業装置
１１  カウンタウエイト
１２  主ウエイト
１２Ａ  前面
１２Ｂ  後面
１２Ｃ  上面
１２Ｄ  下面
１３，３５  補助ウエイト収容部
１４，３３  凹窪部
１４Ａ  上凹窪部
１４Ａ２，１４Ｂ２  奥面
１５，３４  ウエイト受座
１６，３６  補助ウエイト
１８  後方監視カメラ（電装品）
１８Ａ  配線
１９，３１  第１の配線収容溝
２０  第２の配線収容溝
２３，３８  電装品ブラケット
２３Ｂ，３８Ｂ  蓋板部（蓋部）
２８，２８′，３２，３７  溝閉塞板
【図１】
0005368415.tif 000002
【図２】
0005368415.tif 000003
【図３】
0005368415.tif 000004
【図４】
0005368415.tif 000005
【図５】
0005368415.tif 000006
【図６】
0005368415.tif 000007
【図７】
0005368415.tif 000008
【図８】
0005368415.tif 000009
【図９】
0005368415.tif 000010
【図１０】
0005368415.tif 000011
【図１１】
0005368415.tif 000012